(57)【要約】      （修正有）【課題】基本的な使用時には、電池式の充電器として機能し、万一電池切れになった際には、ＰＣ等への接続用ＵＳＢ端子を用い、通信端末やゲーム機などに充電できるコンパクトな充電器を提供する。【解決手段】電気製品に着脱自在に接続されて、その電気製品への電力供給を行う充電器において、外部の電力供給源４０に接続され電力を入力するＵＳＢ端子２０と、外部の電気製品へ電力を出力する端子３０と、電力を蓄える電池と、それらに接続され電力の出入を司る制御装置とを設ける。さらに、電力入力用のＵＳＢ端子２０が、充電器本体１０の外面に設けられた凹部に収容されて配設され、その凹部に備わる軸部を介して回動可能であり、その回動によって凹部から出没自在である構成にする。電力出力用の端子３０を、充電器本体の外面に接続されたケーブル３１を有する端子にし、そのケーブルを巻回して収納可能なリール３２を設けてもよい。【選択図】図４
0003166091.tif 000002
【実用新案登録請求の範囲】
【請求項１】
電気製品に着脱自在に接続されて、その電気製品への電力供給を行う充電器であって、
外部の電力供給源に接続され電力を入力するＵＳＢ端子と、外部の電気製品へ電力を出力する端子と、電力を蓄える電池と、それらに接続され電力の出入を司る制御装置とを備え、
電力入力用のＵＳＢ端子が、
充電器本体の外面に設けられた凹部に収容されて配設され、その凹部に備わる軸部を介して回動可能であり、その回動によって凹部から出没自在である
ことを特徴とする充電器。
【請求項２】
電力出力用の端子が、充電器本体の外面に接続されたケーブルを有する端子である
請求項１に記載の充電器。
【請求項３】
制御装置が、
電力入力用のＵＳＢ端子が外部の電力供給源に接続され通電状態か否かに応じて、
外部の電力供給源に接続され通電状態であれば、外部の電力供給源から外部の電気製品へ電力を出力し、外部の電力供給源に接続され通電状態でなければ、電池から外部の電気製品へ電力を出力する切り替え制御回路を備える
請求項１または２に記載の充電器。
【請求項４】
電力供給対象の電気製品が携帯式の通信端末またはゲーム機であり、
充電器本体の外形が携帯容易な略直方体形状であると共に、電力出力用の端子が携帯式の通信端末またはゲーム機の入力端子に接続可能な形状である
請求項１ないし３のいずれかに記載の充電器。
【考案の詳細な説明】
【技術分野】
【０００１】
本考案は、携帯電話などの電気製品に着脱自在に接続されて、その電気製品への電力供給を行う充電器の構成に関する。
【背景技術】
【０００２】
携帯電話などの電気製品に接続して利用する従来の充電器の電力源は、入れ替え式の電池か、蓄電池であり、蓄電池の場合には、屋内のＡＣタップからの入力がほとんどであった。
【０００３】
屋内のＡＣタップに接続して蓄電する携帯電話用の充電器には、特許文献１、２がある。
このような従来の充電器によると、全体の形状に凹凸が多く、携帯には便利でなかった。全体の外形を略塊状にして持ち運びやすくした充電器もあるが、特にＡＣタップに接続する端子は突出した状態に固定されていた。
【０００４】
それに対し、本出願人は、ＡＣタップに接続する端子を回動可能に構成し、携帯所持の利便に供した（特許文献３）。
【０００５】
外部の電力供給源としては、ＡＣタップの他、ＰＣ等のＵＳＢ端子も利用可能である。
外部の電力供給源としてＰＣ等のＵＳＢ端子を用い、それに接続する端子の形態を、使用時の接続にも不使用時の携帯所持にも適したものにした構成は、従来にはなかった。
【先行技術文献】
【特許文献】
【０００６】
【特許文献１】特開２００１−３４６３３５「充電器」
【特許文献２】特開２００４−３２４８０「携帯電話の充電器具」
【特許文献３】実用新案登録第３１２５３１４「充電器」
【考案の概要】
【考案が解決しようとする課題】
【０００７】
そこで、本考案は、基本的な使用時には、電池式の充電器として機能し、万一電池切れになった際には、ＰＣ等への接続用ＵＳＢ端子を用い、通信端末やゲーム機などに充電できるコンパクトな充電器を提供することを課題とする。
【課題を解決するための手段】
【０００８】
上記課題を達成するため、本考案の充電器は、次の構成を備える。
すなわち、電気製品に着脱自在に接続されて、その電気製品への電力供給を行う充電器において、外部の電力供給源に接続され電力を入力するＵＳＢ端子と、外部の電気製品へ電力を出力する端子と、電力を蓄える電池と、それらに接続され電力の出入を司る制御装置とを設け、電力入力用のＵＳＢ端子が、充電器本体の外面に設けられた凹部に収容されて配設され、その凹部に備わる軸部を介して回動可能であり、その回動によって凹部から出没自在である構成にする。
【０００９】
ここで、電力出力用の端子を、充電器本体の外面に接続されたケーブルを有する端子にしてもよい。更に、そのケーブルを巻回して収納可能なリールを付設してもよい。
【００１０】
制御装置を、電力入力用のＵＳＢ端子が外部の電力供給源に接続され通電状態か否かに応じて、外部の電力供給源に接続され通電状態であれば、外部の電力供給源から外部の電気製品へ電力を出力し、外部の電力供給源に接続され通電状態でなければ、電池から外部の電気製品へ電力を出力する切り替え制御回路をを設けてもよい。
【００１１】
なお、制御装置を、外部の電力供給源から外部の電気製品への電力入力と、電池から外部の電気製品への電力入力と、外部の電力供給源から電池への電力入力とを切り替え可能な制御回路と、その切り替え操作を入力されるスイッチを設け、使用者の用途に応じられるようにしてもよい。
【００１２】
電力供給対象の電気製品を携帯式の通信端末またはゲーム機にし、充電器本体の外形が携帯容易な略直方体形状にすると共に、電力出力用の端子が携帯式の通信端末またはゲーム機の入力端子に接続可能な形状にしてもよい。
【考案の効果】
【００１３】
本考案によると、ＰＣ等を介して簡易に蓄電でき、その端子を容易に出没させられるので、使用時には接続しやすく便利であり、不使用時には突起がなくなり携帯所持に利便でもある。
【図面の簡単な説明】
【００１４】
【図１】本考案による充電器の斜視図
【図２】充電器の本体部の側面図
【図３】充電器の本体部の平面図
【図４】使用状態の充電器の正面図
【図５】電力入力ＵＳＢ端子と本体部との結線を示す一部平面図
【考案を実施するための形態】
【００１５】
以下に、本考案の実施形態を図面に基づいて説明する。
ここでは、携帯電話に電力供給する略直方体の充電器を例示する。しかし、電力供給対象の電気製品には、例えば、携帯式のゲーム機や音楽プレイヤーや充電式の髭剃器や電動歯ブラシなど、低電圧低電流で動作可能な電気製品一般に適用できる。また、外形も、略楕円注状など、持ち運びやすい形状を適宜採用できる。
【００１６】
図１ないし３は、本考案による充電器の斜視図、充電器の本体部の側面図及び平面図である。
充電器の本体部（１０）の外形は、角に丸みを帯びた略直方体形状であり、最大の辺の長さが約１０ｃｍである。
充電器の本体部（１０）の側部には、外部の電力供給源に接続され電力を入力するＵＳＢ端子（２０）と、外部の電気製品へ電力を出力する出力端子（３０）が配設され、内部には、電力を蓄える電池と、それらに接続され電力の出入を司る制御装置が配設される。
電力入力ＵＳＢ端子（２０）は、例えば、ＰＣに接続して用いられ、電力出力端子（３０）は、例えば、携帯電話に接続して用いられる。
【００１７】
電池には、市販の乾電池が利用できる。例えば、単３型アルカリ乾電池を２本用い、その電池を収容する凹部を本体部（１０）に設ける。
内蔵する電池のタイプは、リチウムイオン電池やニッカド電池や小形シール鉛畜電池など、充放電可能な２次電池を用いてもよい。電池を着脱自在な２次電池とし、その電池に、電力入力ＵＳＢ端子（２０）から入力した電力を供給可能な構成にすると、電池を蓄電した際に取り外して、別の用途に利用することが可能になる。
【００１８】
制御装置は、電力入力用のＵＳＢ端子（２０）が外部の電力供給源に接続され通電状態か否かに応じて、外部の電力供給源に接続され通電状態であれば、外部の電力供給源から外部の電気製品へ電力を出力し、外部の電力供給源に接続され通電状態でなければ、電池から外部の電気製品へ電力を出力する切り替え制御回路を備える。
これにより、自動的に外部の電力供給源または電池から外部の電気製品へ電力が出力される。
【００１９】
なお、制御装置を、外部の電力供給源から外部の電気製品への電力入力と、電池から外部の電気製品への電力入力と、外部の電力供給源から電池への電力入力とを切り替え可能な制御回路と、その切り替え操作を入力されるスイッチを設け、使用者の用途に応じられるようにしてもよい。
これによると、例えば、電力入力ＵＳＢ端子（２０）が外部の電力供給源に接続されていない場合には、電池から外部の電気製品への電力出力を行い、電力入力ＵＳＢ端子（２０）が外部の電力供給源に接続されている場合には、それを介して外部の電力供給源から外部の電気製品へ電力出力を行い、電力出力端子（３０）が外部の電気製品に接続されていない場合には、電力入力ＵＳＢ端子（２０）を介して電池へ電力出力を行い、更には、電池の蓄電容量が低い場合には、電池への電力出力と外部の電気製品への電力出力とを同時に行うことも可能になる。また、電池を着脱自在な２次電池とし、その電池を蓄電した際には、その電池を単体として別用途に利用することも可能である。
【００２０】
このような回路切り替えは、手動制御でもよい。すなわち、上記の切り替え操作を入力されるスイッチを、制御装置に設ける。
例えば、電池への電力出力か、外部の電気製品への電力出力か、更には、その両者の併用かとを切り替えるスイッチを、本体部（１０）の外面に設ける。
【００２１】
これらの状態は、ランプ（１１）によって視認可能に構成してもよい。ランプ（１１）は単数でも複数でもよい。
例えば、単数のランプ（１１）を用い、外部の電気製品へ電力出力中であれば、点灯させ、特に、電池から外部の電気製品へ電力出力中であれば、電池の残存容量によって点灯の明るさを変え、電池の残存容量が大きいほど明るく点灯させる。
また、任意の電池を、本装置に装着してランプ（１１）の明るさを観察することで、その電池の容量チェックに利用することも可能である。
【００２２】
電力入力ＵＳＢ端子（２０）は、本体部（１０）の上面に設けられた凹部（１２）に収容されて配設される。図示の凹部（１２）は略直方体状であり、本体部（１０）の上面のほほ全幅を占めているが、電力入力ＵＳＢ端子（２０）を収容できればよく、形状や位置は適宜選定できる。
本体部（１０）の上面は、未使用時の電力入力ＵＳＢ端子（２０）を収容することで、平らになり、携帯所持に適した形状をとる。
【００２３】
凹部（１２）内には、本体部（１０）から略棒状の軸体（１３）が立設し、その軸体（１３）は、電力入力ＵＳＢ端子（２０）に連なる略板状のフランジ（２１）の孔部に挿通している。この両者の係合によって、フランジ（２１）が軸体（１３）を軸にして回動可能に設けられている。
図示の例では、電力入力ＵＳＢ端子（２０）と本体部（１０）との係合を、軸体（１３）と孔部との組み合わせで構成したが、凹凸嵌合など従来公知の係合手段が適宜利用できる。
【００２４】
電力入力ＵＳＢ端子（２０）を回動させると、図４のように、凹部（１２）から突出し、外部の電力供給源（４０）との接続が容易になる。なお、回動角度の上限は１８０°または９０°が好ましい。
【００２５】
図５は、電力入力ＵＳＢ端子（２０）と本体部（１０）との結線を示す一部平面図である。
電力入力ＵＳＢ端子（２０）の配電部（２２）に導電性のバネ（１４）が連なり、本体部（１０）の配電部に接続されている。なお、バネ（１４）は、本体部（１０）に設けられた軸体（１３）に巻装され、電力入力ＵＳＢ端子（２０）と本体部（１０）との圧着にも寄与している。
【００２６】
電力出力端子（３０）は、本体部（１０）の側面に接続されたケーブル（３１）を有し、そのケーブル（３１）はリール（３２）に巻回される。リール（３２）には、従来公知の巻回機構が適用でき、ケーブル（３１）は、引き出すことによって伸張し、引き出し状態を解除することによってバネによりリール（３２）に収納される。
なお、ケーブル（３１）は、本体部（１０）の側面に固設してもよいし、ピンジャック等を介して着脱自在に構成してもよい。
電力出力端子（３０）の端子タイプは、携帯電話機の入力端子に接続される形状でもよいし、ＵＳＢ端子などでもよい。
【産業上の利用可能性】
【００２７】
本考案によると、電力入力ＵＳＢ端子を回動させるだけの簡易操作で出没させられるので、ＰＣ等への接続が便利で容易に充電可能であると共に、携帯所持の際には突起部分をなくすことができるので運びやすい利点も兼ね備え、産業上利用価値が高い。
【符号の説明】
【００２８】
１０  本体部
１１  ランプ
１２  凹部
１３  軸体
１４  バネ
２０  電力入力ＵＳＢ端子
２１  フランジ
２２  電力入力ＵＳＢ端子の配電部
３０  電力出力端子
３１  ケーブル
３２  リール
３３  蓋
４０  外部電力供給源
５０  携帯電話機
【図１】
0003166091.tif 000003
【図２】
0003166091.tif 000004
【図３】
0003166091.tif 000005
【図４】
0003166091.tif 000006
【図５】
0003166091.tif 000007